【手続補正書】
【提出日】平成25年5月2日(2013.5.2)
【手続補正１】
【補正対象書類名】特許請求の範囲
【補正対象項目名】全文
【補正方法】変更
【補正の内容】
【特許請求の範囲】
【請求項１】
標本を走査する走査手段を備えた走査型共焦点顕微鏡であって、
前記標本からの光を分光する透過型のＶＰＨグレーティングと、
前記ＶＰＨグレーティングで回折された前記光を検出する光検出器と、を含む
ことを特徴とする走査型共焦点顕微鏡。
【請求項２】
請求項１に記載の走査型共焦点顕微鏡において、さらに、
前記ＶＰＨグレーティングに入射する前記光の光軸と前記ＶＰＨグレーティングの屈折率が周期的に変化する屈折率分布方向とのなす角を変更する入射角変更手段を含む
ことを特徴とする走査型共焦点顕微鏡。
【請求項３】
請求項２に記載の走査型共焦点顕微鏡において、
前記入射角変更手段は、前記ＶＰＨグレーティングを、前記光軸及び前記屈折率分布方向に平行な平面に対して垂直な回転軸周りに回転させる
ことを特徴とする走査型共焦点顕微鏡。
【請求項４】
請求項２に記載の走査型共焦点顕微鏡において、さらに、
前記走査手段と前記ＶＰＨグレーティングの間に配置される第１のミラーを含み、
前記入射角変更手段は、前記第１のミラーを、前記光軸及び前記屈折率分布方向に平行な平面に対して垂直な回転軸周りに回転させる
ことを特徴とする走査型共焦点顕微鏡。
【請求項５】
請求項３または請求項４に記載の走査型共焦点顕微鏡において、さらに、
前記ＶＰＨグレーティングと前記光検出器の間に配置される第２のミラーと、
前記光検出器で検出される前記光の波長帯域の中心を制御する検出波長帯域シフト手段と、を含み、
前記検出波長帯域シフト手段は、前記第２のミラーを、前記光軸及び前記屈折率分布方向に平行な平面に対して垂直な回転軸周りに回転させる
ことを特徴とする走査型共焦点顕微鏡。
【請求項６】
請求項３または請求項４に記載の走査型共焦点顕微鏡において、さらに、
前記光検出器で検出される前記光の波長帯域の中心を制御する検出波長帯域シフト手段と、を含み、
前記検出波長帯域シフト手段は、前記光検出器を、前記光検出器の受光面と平行に移動させる
ことを特徴とする走査型共焦点顕微鏡。
【請求項７】
請求項３乃至請求項６に記載の走査型共焦点顕微鏡において、
前記光検出器は、複数の受光素子が１次元に配列されたマルチチャンネル検出器である
ことを特徴とする走査型共焦点顕微鏡。
【請求項８】
請求項７に記載の走査型共焦点顕微鏡において、さらに、
前記光検出器で検出される前記光の波長帯域の幅を変更する帯域幅変更手段を含む
ことを特徴とする走査型共焦点顕微鏡。
【請求項９】
請求項８に記載の走査型共焦点顕微鏡において、
前記走査が走査焦点顕微鏡は、前記標本と前記光検出器の間の検出光路で生じる波長分散量の異なる複数の状態を有し、
前記帯域幅変更手段は、前記複数の状態を切り替える
ことを特徴とする走査型共焦点顕微鏡。
【請求項１０】
請求項９に記載の走査型共焦点顕微鏡において、さらに、
前記ＶＰＨグレーティングと前記光検出器の間に、選択的に使用される、焦点距離の異なる複数の集光光学系を含み、
前記帯域幅変更手段は、前記光が入射する前記集光光学系を変更する
ことを特徴とする走査型共焦点顕微鏡。
【請求項１１】
請求項９に記載の走査型共焦点顕微鏡において、さらに、
前記ＶＰＨグレーティングと前記光検出器の間に、前記光を前記光検出器に集光させる集光光学系を含み、
前記集光光学系は、複数の光学素子を含む、合成焦点距離の可変な変倍光学系であり、
前記帯域幅変更手段は、前記変倍光学系の合成焦点距離を変更する
ことを特徴とする走査型共焦点顕微鏡。
【請求項１２】
請求項９に記載の走査型共焦点顕微鏡において、
前記標本からの光を分光する、格子周波数の異なる透過型の複数の前記ＶＰＨグレーティングを含み、
前記帯域幅変更手段は、前記検出光路中に、前記複数のＶＰＨグレーティングのうちの一つを選択的に配置する
ことを特徴とする走査型共焦点顕微鏡。
【請求項１３】
請求項３乃至請求項６に記載の走査型共焦点顕微鏡において、さらに、
前記ＶＰＨグレーティングと前記光検出器の間に、前記光検出器で検出される前記光の波長帯域の幅を制限する絞り手段と、を含み、
前記光検出器は、単一の受光素子を含むシングルチャンネル検出器である
ことを特徴とする走査型共焦点顕微鏡。
【請求項１４】
請求項３に記載の走査型共焦点顕微鏡において、さらに、
前記走査手段と前記ＶＰＨグレーティングの間に配置される第１のミラーと、
前記光検出器で検出される前記光の波長帯域の中心を制御する検出波長帯域シフト手段と、を含み、
前記検出波長帯域シフト手段は、前記第１のミラーを、前記光軸及び前記屈折率分布方向に平行な平面に対して垂直な回転軸周りに回転させる
ことを特徴とする走査型共焦点顕微鏡。
【請求項１５】
請求項２に記載の走査型共焦点顕微鏡において、
前記走査手段と前記ＶＰＨグレーティングの間に配置される第１のミラーと、
前記ＶＰＨグレーティングと前記光検出器の間に配置される第２のミラーと、を含み、
前記第１のミラー及び前記第２のミラーは、同方向に同じ回転角だけ回転する
ことを特徴とする走査型共焦点顕微鏡。
【手続補正２】
【補正対象書類名】明細書
【補正対象項目名】００１２
【補正方法】変更
【補正の内容】
【００１２】
本発明の第３の態様は、第２の様態の走査型共焦点顕微鏡において、入射角変更手段は、ＶＰＨグレーティングを、光軸及び屈折率分布方向に平行な平面に対して垂直な回転軸周りに回転させる走査型共焦点顕微鏡を提供する。
【手続補正３】
【補正対象書類名】明細書
【補正対象項目名】００１３
【補正方法】変更
【補正の内容】
【００１３】
本発明の第４の態様は、第２の様態の走査型共焦点顕微鏡において、さらに、走査手段とＶＰＨグレーティングの間に配置される第１のミラーを含み、入射角変更手段は、第１のミラーを、光軸及び屈折率分布方向に平行な平面に対して垂直な回転軸周りに回転させる走査型共焦点顕微鏡を提供する。
【手続補正４】
【補正対象書類名】明細書
【補正対象項目名】００１４
【補正方法】変更
【補正の内容】
【００１４】
本発明の第５の態様は、第３の態様または第４の様態に記載の走査型共焦点顕微鏡において、さらに、ＶＰＨグレーティングと光検出器の間に配置される第２のミラーと、光検出器で検出される光の波長帯域の中心を制御する検出波長帯域シフト手段と、を含み、検出波長帯域シフト手段は、第２のミラーを、光軸及び屈折率分布方向に平行な平面に対して垂直な回転軸周りに回転させる走査型共焦点顕微鏡を提供する。
【手続補正５】
【補正対象書類名】明細書
【補正対象項目名】００１５
【補正方法】変更
【補正の内容】
【００１５】
本発明の第６の態様は、第３の態様または第４の様態に記載の走査型共焦点顕微鏡において、さらに、光検出器で検出される光の波長帯域の中心を制御する検出波長帯域シフト手段と、を含み、検出波長帯域シフト手段は、光検出器を、光検出器の受光面と平行に移動させる走査型共焦点顕微鏡を提供する。
【手続補正６】
【補正対象書類名】明細書
【補正対象項目名】００１６
【補正方法】変更
【補正の内容】
【００１６】
本発明の第７の態様は、第３の態様乃至第６の様態に記載の走査型共焦点顕微鏡において、光検出器は、複数の受光素子が１次元に配列されたマルチチャンネル検出器である走査型共焦点顕微鏡を提供する。
【手続補正７】
【補正対象書類名】明細書
【補正対象項目名】００１７
【補正方法】変更
【補正の内容】
【００１７】
本発明の第８の態様は、第７の態様に記載の走査型共焦点顕微鏡において、さらに、光検出器で検出される光の波長帯域の幅を変更する帯域幅変更手段を含む走査型共焦点顕微鏡を提供する。
【手続補正８】
【補正対象書類名】明細書
【補正対象項目名】００１９
【補正方法】変更
【補正の内容】
【００１９】
本発明の第１０の態様は、第９の態様に記載の走査型共焦点顕微鏡において、さらに、ＶＰＨグレーティングと光検出器の間に、選択的に使用される、焦点距離の異なる複数の集光光学系を含み、帯域幅変更手段は、光が入射する集光光学系を変更する走査型共焦点顕微鏡を提供する。
【手続補正９】
【補正対象書類名】明細書
【補正対象項目名】００２０
【補正方法】変更
【補正の内容】
【００２０】
本発明の第１１の態様は、第９の態様に記載の走査型共焦点顕微鏡において、さらに、ＶＰＨグレーティングと光検出器の間に、光を光検出器に集光させる集光光学系を含み、集光光学系は、複数の光学素子を含む、合成焦点距離の可変な変倍光学系であり、帯域幅変更手段は、変倍光学系の合成焦点距離を変更する走査型共焦点顕微鏡を提供する。
【手続補正１０】
【補正対象書類名】明細書
【補正対象項目名】００２２
【補正方法】変更
【補正の内容】
【００２２】
本発明の第１３の態様は、第３の態様乃至第６の様態に記載の走査型共焦点顕微鏡において、さらに、ＶＰＨグレーティングと光検出器の間に、光検出器で検出される光の波長帯域の幅を制限する絞り手段と、を含み、光検出器は、単一の受光素子を含むシングルチャンネル検出器である走査型共焦点顕微鏡を提供する。
【手続補正１１】
【補正対象書類名】明細書
【補正対象項目名】００２３
【補正方法】変更
【補正の内容】
【００２３】
本発明の第１４の態様は、第３の態様に記載の走査型共焦点顕微鏡において、さらに、走査手段とＶＰＨグレーティングの間に配置される第１のミラーと、光検出器で検出される光の波長帯域の中心を制御する検出波長帯域シフト手段と、を含み、検出波長帯域シフト手段は、第１のミラーを、光軸及び屈折率分布方向に平行な平面に対して垂直な回転軸周りに回転させる走査型共焦点顕微鏡を提供する。
【手続補正１２】
【補正対象書類名】明細書
【補正対象項目名】００２４
【補正方法】変更
【補正の内容】
【００２４】
本発明の第１５の態様は、第２の態様に記載の走査型共焦点顕微鏡において、走査手段とＶＰＨグレーティングの間に配置される第１のミラーと、ＶＰＨグレーティングと光検出器の間に配置される第２のミラーと、を含み、第１のミラー及び第２のミラーは、同方向に同じ回転角だけ回転する走査型共焦点顕微鏡を提供する。
【手続補正１３】
【補正対象書類名】明細書
【補正対象項目名】００２５
【補正方法】削除
【補正の内容】
【手続補正１４】
【補正対象書類名】明細書
【補正対象項目名】００２６
【補正方法】削除
【補正の内容】
【手続補正１５】
【補正対象書類名】明細書
【補正対象項目名】００２７
【補正方法】削除
【補正の内容】
【手続補正１６】
【補正対象書類名】明細書
【補正対象項目名】００２８
【補正方法】削除
【補正の内容】
【手続補正１７】
【補正対象書類名】明細書
【補正対象項目名】００２９
【補正方法】削除
【補正の内容】
【手続補正１８】
【補正対象書類名】明細書
【補正対象項目名】００３０
【補正方法】削除
【補正の内容】
【手続補正１９】
【補正対象書類名】明細書
【補正対象項目名】００３１
【補正方法】削除
【補正の内容】
【手続補正２０】
【補正対象書類名】明細書
【補正対象項目名】００３２
【補正方法】削除
【補正の内容】
【手続補正２１】
【補正対象書類名】明細書
【補正対象項目名】００３３
【補正方法】削除
【補正の内容】
【手続補正２２】
【補正対象書類名】明細書
【補正対象項目名】００３４
【補正方法】削除
【補正の内容】
【手続補正２３】
【補正対象書類名】明細書
【補正対象項目名】００３５
【補正方法】削除
【補正の内容】